(57)【要約】【課題】本発明は、キーボードとインジケーター機器の機能を同時に素早く手軽に操作することができるとともに、様々な使用環境に適用させることができる、キーボードのキー領域とタッチコントロールの統合方法及びその方法によってなるキーボードを提供する。【解決手段】少なくとも一つのタッチコントロールをキーボード本体のキー領域内のいずれかのキーの位置に取り付け、前記タッチコントロールを前記キーボード本体に電気信号的に接続し、前記キーボード本体を通じて信号の伝達を行う。【選択図】図１
2013186884.tif 000002
【特許請求の範囲】
【請求項１】
少なくとも一つのタッチコントロールをキーボード本体のキー領域内のいずれかのキーの位置に取り付け、前記タッチコントロールを前記キーボード本体に電気信号的に接続し、前記キーボード本体を通じて信号の伝達を行うことを特徴とする、キーボードのキー領域とタッチコントロールの統合方法。
【請求項２】
前記キーボード本体内に、薄膜回路モジュールと、装置回路モジュールとをさらに設け、前記薄膜回路モジュールと前記装置回路モジュールを、相互に電気信号的に接続し、前記キーを、前記キーボード本体のキー領域内に取り付けるとともに、前記薄膜回路モジュールの上方に取り付け、
それにより、各キーが圧力を受ける時に、前記薄膜回路モジュールのマトリックス回路に触れて対応するキー信号が生じ、対応するキー信号が前記装置回路モジュールに伝送され、
各タッチコントロールは、プラスチックケースとタッチ信号センサー装置をさらに備え、前記タッチ信号センサー装置を、前記プラスチックケース内部に取り付けるとともに、前記薄膜回路モジュール或いは装置回路モジュール内に電気信号的に接続することを特徴とする、請求項１に記載のキーボードのキー領域とタッチコントロールの統合方法。
【請求項３】
キーボード本体と、複数のキーと、少なくとも一つのタッチコントロールとからなる、キーボードのキー領域をタッチコントロールに統合させたキーボードであって、
キーボード本体の内部には、薄膜回路モジュールと、装置回路モジュールとが設けられ、前記薄膜回路モジュールと前記装置回路モジュールは、相互に電気信号的に接続され、
複数のキーは、前記キーボード本体のキー領域の内部に取り付けられるとともに、前記薄膜回路モジュールの上方に取り付けられ、
それにより、各キーが圧力をうける時に前記薄膜回路モジュールのマトリックス回路に接触して対応するキー信号が生じ、対応するキー信号が前記装置回路モジュールに伝送され、
各タッチコントロールは、プラスチックケースと、タッチ信号センサー装置とを備え、前記タッチ信号センサー装置は、前記プラスチックケース内部に取り付けられるとともに、前記装置回路モジュールの内部に電気信号的に接続されることを特徴とする、キーボードのキー領域をタッチコントロールに統合させたキーボード。
【請求項４】
前記装置回路モジュールは、さらに、有線或いは無線の接続インタフェイスを備えるとともに、少なくとも一つの情報機器に電気信号的に接続されることを特徴とする、請求項３に記載のキーボードのキー領域をタッチコントロールに統合させたキーボード。
【請求項５】
前記タッチコントロールは、キーボード本体のキー領域内のいずれかのキーの位置に取り付けられることを特徴とする、請求項３に記載のキーボードのキー領域をタッチコントロールに統合させたキーボード。
【発明の詳細な説明】
【技術分野】
【０００１】
本発明はキーボードのキー領域とタッチコントロールの統合方法及びその方法によってなるキーボードに関し、特にタッチコントロールをキーボードのキーに統合することで、キーボードにタッチコントロールの機能を備えさせることができるとともに、キーボード上のポインタのカーソルの機能を統合することでキーボードの性能がアップし多目的な応用が可能になる、キーボードのキー領域とタッチコントロールの統合方法及びその方法に関する。
【背景技術】
【０００２】
キーボードとその他のポインタ付きの入力装置（例えば、マウス、タッチパネル）は、現在、ユーザーがコンピューター機器とコミュニケーションするための主な入力装置となっている。その内、キーボード裝置は、ユーザーに文字入力を行わせることができ、ポインタ付きの入力装置は、ユーザーに、各種アプリケーション内のカーソル機能（例えば、移動、選択、ドラッグ等の機能）を操作させることができる。
【０００３】
現在、市場では、コンピューター情報通信機器（例えば、ノート型パソコン、タブレットＰＣ、スマートフォン）にＨＤＭＩ接続インタフェイスが設けられることが多くなってきており、ＨＤＭＩインタフェイスを介して、コンピューター情報通信機器の映像と音声信号を、会議室や居間の大型液晶モニター内に伝送させることができ、それによりコンピューターテレビとして使用することができるようになる。  
【０００４】
現在のユーザーは、大多数が、従来の無線キーボード及び無線マウスをコンピューターテレビの文字入力及びカーソル操作の装置として使用している。しかしながら、前記した使用環境の操作に適合しないという問題がある。最近の市場に出回っている無線キーボードの中には、タッチコントロール或いはトラックボールをキーボードのキー領域外に設けているものがある。しかしながら、この類の装置の設計だと、キーボードの体積が大きくなりすぎ、操作しにくく、収納や携帯しにくいという欠点がある。
【発明の概要】
【発明が解決しようとする課題】
【０００５】
上述した問題に鑑み、本発明は、主に、ポインタ入力装置をキーボード内に統合することで、ユーザーが、キーボードとポインタ入力装置の機能を同時に素早く手軽に操作することができるとともに、各種のサイズが異なるキーボード内に適用することができるため様々な使用環境に適用させることができる、キーボードのキー領域とタッチコントロールの統合方法及びその方法によって従来の装置の使用上の悩みを解消することを目的とするデバイスである。
【課題を解決するための手段】
【０００６】
上述の目的を達成するために、本発明によるキーボードのキー領域とタッチコントロールの統合方法は、少なくとも一つのタッチコントロールをキーボード本体のキー領域内のいずれかのキー上に取り付け、前記タッチコントロールを前記キーボードに電気信号的に接続することで、前記キーボードを介して信号を伝送する。
【０００７】
本発明によるキーボードのキー領域をタッチコントロールに統合させたキーボードは、キーボード本体と、複数のキーと、少なくとも一つのタッチコントロールとからなり、前記タッチコントロールは、キーボード本体のキー領域の内部に取り付けられる。
【０００８】
前記キーボード本体内には、薄膜回路モジュールと装置回路モジュールが設けられるとともに、前記薄膜回路モジュールと前記装置回路モジュールは、相互に電気信号的に接続される。前記キーは、前記キーボード本体のキー領域内に取り付けられ、前記キー領域の下方には薄膜回路モジュールが取り付けられる。それにより、各キーが押されて圧力を受ける際に、前記薄膜回路モジュールに触れて対応するキー信号が生じ、前記信号が装置回路モジュールに伝送される。
【０００９】
前記タッチコントロール装置は、プラスチックケースと、タッチ信号センサー装置とを備えるとともに、前記キーボード本体のキー領域内に取り付けられる。前記タッチ信号センサー装置は、前記薄膜回路モジュール或いは前記装置回路モジュール内に電気信号的に接続される。
【００１０】
本発明の設計により、ユーザーは、キーボードとポインタ入力装置のそれぞれ独立した機能と複合機能を同時に素早く手軽に操作することができる。
【００１１】
前記装置回路モジュールは、コンピューター機器と連結できる接続インタフェイスを備える。なお、前記接続インタフェイスは、有線或いは無線の接続インタフェイスである。
【図面の簡単な説明】
【００１２】
【図１】本発明の実施例の斜視図である。
【図２】本発明の実施例の俯瞰図である。
【図３】本発明の実施例のモジュールの位置を示した説明図である。
【図４】本発明の実施例のタッチコントロールを示した斜視図である。
【図５】本発明の実施例のタッチコントロールを示した断面図である。
【図６】本発明の実施例のタッチコントロールの取り付け位置を示した説明図である。
【図７】本発明の実施例のタッチコントロールの取り付け位置を示した説明図である。
【図８】本発明の実施例のタッチコントロールの取り付け位置を示した説明図である。
【図９】本発明の実施例のタッチコントロールの取り付け位置を示した説明図である。
【発明を実施するための形態】
【００１３】
全ての図を参照する。図１は、本発明の実施例の斜視図であり、図２は、本発明の実施例の俯瞰図であり、図３は、本発明の実施例のモジュールの位置を示した説明図であり、図４は、本発明の実施例のタッチコントロールを示した斜視図であり、図５は、本発明の実施例のタッチコントロールを示した断面図であり、図６から図９は、本発明の実施例のタッチコントロールの取り付け位置を示した説明図である。図１と図２に示すように、本発明の実施例によるキーボードキー領域内のタッチコントロール統合方法は、キーボード本体１０と、複数のキー２０と、タッチコントロール３０とからなる。少なくとも一つのタッチコントロール３０は、キーボード本体１０のキー領域内のいずれかのキー２０の位置に設けられ、タッチコントロール３０は、キーボード本体１０に電気信号的に接続され、それにより、キーボード本体１０を通じて信号の伝達を行うことができる。
【００１４】
図３に示すように、キーボード本体１０の内部には、薄膜回路モジュール１１及び装置回路モジュール１２が設けられ、薄膜回路モジュール１１は、装置回路モジュール１２に電気信号的に接続される。また、薄膜回路モジュール１１は、キーマトリックス回路、或いは、キーボードに頻繁に取り付けられる関連回路を備えるか、プラスチック材質或いはｐｃ板材質からなる。
【００１５】
図１から図３に示すように、キーボード本体１０のキー２０は、キー領域内に設けられるとともに、薄膜回路モジュール１１の上方に取り付けられる。各キー２０が力を受けて下方へ押された際に、薄膜回路モジュール１１のマトリックス回路に触れ、それにより、薄膜回路モジュール１１は対応するキー信号を発生させ、装置回路モジュール１２に伝送する。装置回路モジュール１２は、有線或いは無線の接続インタフェイスを介して、前記キー信号をコンピューター情報通信機器内へ伝送する。
【００１６】
図４と図５に示すように、タッチコントロール３０は、プラスチックケース３１と、タッチ信号センサー領域３２と、タッチ信号センサー装置３３と、接続器３４とからなる。タッチコントロール３０は、キーボード本体１０のキー領域のいずれかのキー２０の位置内に設けられるとともに、薄膜回路モジュール１１の上方に配置される。タッチコントロール３０のタッチ信号センサー装置３３は、プラスチックケース３１内に取り付けられるとともに、タッチ信号センサー領域３２におけるユーザーの操作信号をキャプチャーする。なお、タッチ信号センサー装置３３は、接続器３４を介して装置回路モジュール１２内に電気信号的に接続される。
【００１７】
上述の図と説明した内容をまとめると、本発明は、タッチコントロール３０をキーボード本体１０のキー領域内に統合させることで、キーボード裝置の体積スペースを増やさなくてすむだけでなく、タッチコントロール３０を、キー領域のどの位置にも取り付けることができるため、様々な操作習慣をもつユーザーに合わせることができる。例えば、図２と図７に示すように、タッチコントロール３０を、キー領域の右下角と右側中間の位置に設けることで、右手で操作するユーザーに合わせることができる。また、図６と図８に示すように、タッチコントロール３０を、キーボードキー領域の左下角とスペースキーの左側位置に設けることで、左手で操作するユーザーに合わせることができる。更に、図９に示すように、タッチコントロール３０を、キー領域のスペースキーの中間位置に設けることで、大多数のユーザーの操作に合わせることができる。このように、本発明は、タッチコントロール３０の取り付けの位置を変えることで、様々な使用ニーズに対応させることができる。
【００１８】
従来のキーボードと比較して、本発明は、キーボード機能とタッチコントロールのポインタ装置をキーボードのキー位置内に統合することで、ユーザーが、キーボードとタッチコントロールのポインタ装置のそれぞれの独立した機能と複合した機能を簡単に使用することができるため、キーボードの操作機能を大幅に向上させることができるとともに、形状がもっと小さめの携帯用とする環境に適用させることができる。
【符号の説明】
【００１９】
１０        キーボード本体
１１        薄膜回路モジュール
１２        装置回路モジュール
２０        キー
３０        タッチコントロール
３１        プラスチックケース
３２        タッチ信号センサー領域
３３        タッチ信号センサー装置
３４        接続器
【図１】
2013186884.tif 000003
【図２】
2013186884.tif 000004
【図３】
2013186884.tif 000005
【図４】
2013186884.tif 000006
【図５】
2013186884.tif 000007
【図６】
2013186884.tif 000008
【図７】
2013186884.tif 000009
【図８】
2013186884.tif 000010
【図９】
2013186884.tif 000011